(57)【特許請求の範囲】
【請求項１】
被乾燥物を収容する回転ドラムが内部に設けられて前面の前板に回転ドラム内と連通する投入口が形成されている本体ケースと、本体ケースの前面に配設されて投入口を開閉する扉とを備え、扉の背面には、前板における投入口外周部の全周にわたって当接して投入口の気密を保持する環状のパッキンが設けられている衣類乾燥機において、
上記パッキンは、環状に一体的に形成されたものであり、扉の背面から略垂直に立ち上がって前板側へ向けて延びる立ち上がり部と、立ち上がり部の先端から折れ曲がって環状の外向きに拡がるように延びて先端を自由端とする舌片部とを有し、
上記舌片部は、立ち上がり部の先端から扉の背面に沿って略真っ直ぐ延びる延出片部と、延出片部の先端から折れ曲がって前板側へ斜め向きに延び且つ前板側に湾曲する膨出形状を有して扉閉時に前板に押し当てられる膨出傾斜片部とを有し、
上記パッキンは、扉閉時に前板に押し当てられると舌片部の延出片部と膨出傾斜片部との境目となる折れ曲がり部分を支点にして膨出傾斜片部が撓んで前板と面接触する構成とした衣類乾燥機。
【請求項２】
請求項１に記載の衣類乾燥機において、
上記膨出傾斜片部の先端部分は、前板と接触しない裏面側を肉盛りして厚肉に形成した肉盛り部とする衣類乾燥機。
【請求項３】
請求項１又は２に記載の衣類乾燥機において、
上記パッキンは、扉の背面に凹設された環状凹溝に嵌め込まれる環状嵌着部と一体的に形成されている衣類乾燥機。
【発明の詳細な説明】
【技術分野】
【０００１】
本発明は、扉の背面にパッキンを設け、扉閉時に本体ケースの投入口の気密を保持する衣類乾燥機に関する。
【背景技術】
【０００２】
この種の衣類乾燥機は、衣類やタオル等の被乾燥物を収容する回転ドラムが内部に設けられ前面の前板に回転ドラム内と連通する被乾燥物の投入口が形成されている本体ケースと、本体ケースの前面に配設されて投入口を開閉する扉とを備え、扉の背面に環状のパッキンを設け、扉閉時にパッキンを本体ケースの前板における投入口外周部の全周にわたって当接させることにより投入口の気密を保持している。上記パッキンとしては、一般にはエラストマー等の弾性体からなり断面四角形状を有し環状に形成されたものが使用されている。
【先行技術文献】
【特許文献】
【０００３】
【特許文献１】特開２０１３−６６６４７号公報（図１）
【特許文献２】特開２００２−２３９２９６号公報
【発明の概要】
【発明が解決しようとする課題】
【０００４】
従来の衣類乾燥機では、パッキンが環状に形成されているためにパッキンの扉への組み付け時に周方向でのパッキンの高さが部分的にばらついたり、扉開閉の衝撃や乾燥運転の熱影響を繰り返し受けて扉の背面と本体ケースの前板とのクリアランスが少しずつ変化したりすることがある。また、パッキン、扉、前板等の寸法に製作上のばらつきがあることもある。そして、パッキンが経年劣化によりへたってきた場合に、回転ドラム内の負圧が投入口に及んで環状のパッキンが内径側に引き込まれる力を受けると、前板との間に部分的に隙間が生じて投入口の気密性が低下することがある。このようにして投入口の気密が低下すると、投入口から回転ドラム内へ空気が漏れ、乾燥効率の低下を招いたり、空気の流れ込みによりパッキンが振動してビビリ音を生じさせたりするおそれがある。
【０００５】
本発明は、以上の事情に鑑みてなされたものであり、扉の背面に設けた環状のパッキンにより投入口の気密性を長期的に保持することができる衣類乾燥機を提供するものである。
【課題を解決するための手段】
【０００６】
本発明に係る衣類乾燥機は、
被乾燥物を収容する回転ドラムが内部に設けられて前面の前板に回転ドラム内と連通する投入口が形成されている本体ケースと、本体ケースの前面に配設されて投入口を開閉する扉とを備え、扉の背面には、前板における投入口外周部の全周にわたって当接して投入口の気密を保持する環状のパッキンが設けられている衣類乾燥機において、
上記パッキンは、環状に一体的に形成されたものであり、扉の背面から略垂直に立ち上がって前板側へ向けて延びる立ち上がり部と、立ち上がり部の先端から折れ曲がって環状の外向きに拡がるように延びて先端を自由端とする舌片部とを有し、
上記舌片部は、立ち上がり部の先端から扉の背面に沿って略真っ直ぐ延びる延出片部と、延出片部の先端から折れ曲がって前板側へ斜め向きに延び且つ前板側に湾曲する膨出形状を有して扉閉時に前板に押し当てられる膨出傾斜片部とを有し、
上記パッキンは、扉閉時に前板に押し当てられると舌片部の延出片部と膨出傾斜片部との境目となる折れ曲がり部分を支点にして膨出傾斜片部が撓んで前板と面接触する構成としたものである。
【０００７】
これにより、扉閉時にパッキンが前板に押し当てられると、舌片部の延出片部と膨出傾斜片部との境目の折れ曲がり部分を支点にして膨出傾斜片部が撓んで前板と接触することとなる。この結果、膨出傾斜片部の前板に接触する最も内周側の位置と膨出傾斜片部の撓みの上記支点との間の距離が短くなるので、パッキンが経年劣化によりへたってきた場合であっても、押圧状態での膨出傾斜片部の剛性を高く保持することができる。また、膨出傾斜片部は、延出片部から折れ曲がるように形成されているので、扉閉時に膨出傾斜片部が前板に押し当てられた状態では、立ち上がり部及び延出片部からの弾性反発力により膨出傾斜片部を持ち上げるように作用し、これによっても、押圧状態での膨出傾斜片部の剛性を高く保持させている。従って、パッキンがへたってきた場合に回転ドラム内の負圧が投入口に及んで環状のパッキンが内径側に引き込まれる力を受けても膨出傾斜片部の形状が安定して保持され、投入口の気密性を長期的に保持することができる。
【０００８】
上記膨出傾斜片部の先端部分は、前板と接触しない裏面側を肉盛りして厚肉に形成した肉盛り部とすることが望ましい。
これにより、膨出傾斜片部の先端部分により形成される環状のパッキンの外径端部での剛性が高くなり、押圧状態での膨出傾斜片部の剛性をさらに高く保持することができる。また、肉盛り部は、膨出傾斜片部の裏面側に設けて本体ケースの前板とは接触することがなく膨出傾斜片部と前板との接触面積を低下させることがない。従って、パッキンがへたってきても投入口の気密性を長期的に保持することができる。
【０００９】
上記パッキンは、扉の背面に凹設された環状凹溝に嵌め込まれる環状嵌着部と一体的に形成されていることが望ましい。
これにより、扉の背面に対して環状のパッキンを単独で組み付ける場合に比べて、周方向におけるパッキンの高さのばらつきを抑制することができ、扉閉時には環状のパッキンが全周一様に前板に当接して投入口の気密性を確実に保持することができる。
【発明の効果】
【００１０】
本発明によれば、押圧状態での膨出傾斜片部の剛性を高く形状が安定して保持されるから、パッキンがへたってきた場合であっても投入口の気密性を長期的に保持することができる。従って、投入口から回転ドラム内への空気の漏れを長期的に防止することができ、よって、乾燥効率の低下を防止することができ、また、回転ドラム内の負圧によりパッキンが振動してビビリ音を発生させることもない。
【図面の簡単な説明】
【００１１】
【図１】実施形態の衣類乾燥機の全体構成を示す模式図である。
【図２】衣類乾燥機の投入口付近を拡大して示す断面図である。
【図３】嵌着部に一体形成された第１パッキンの全体を示す斜視図である。
【図４】嵌着部に一体形成された第１パッキンを示す断面図である。
【図５】第１パッキンがへたる前とへたった時の前板との接触状態を示す模式図である。
【図６】凸部材に一体形成された第２パッキンを示す断面図である。
【発明を実施するための形態】
【００１２】
以下に、本発明の実施形態について添付図面を参照しながら説明する。
図１に示すように、実施形態の衣類乾燥機１は、衣類やタオル等の被乾燥物部Ｓを収容する回転ドラム４が内部に設けられた箱型の本体ケース２と、本体ケース２の前面の前板２０に取り付けられた扉３とを備えている。なお、本明細書では、衣類乾燥機１の扉３の設置側を前とし、前後の方向や位置を特定する。回転ドラム４は、前端が開放された円筒形状に形成され、本体ケース２内に横向き姿勢に設置されて前端を回転支持リング板４１により後端を回転支持枠４２によりそれぞれ回転自在に支持されている。回転ドラム４は、外周に架けられたベルト４３を介して駆動モータ４４により回転される。本体ケース２内には、ガスバーナ５を収容する燃焼筐５３と、燃焼筐５３の上方に連設する温風導入ダクト５４とが設けられ、また、衣類乾燥機１の動作を制御する制御部２７が設けられている。ガスバーナ５には、ガス供給路５１により弁装置５２を介して燃料ガスが供給され、ガスバーナ５の燃焼排ガスが温風導入ダクト５４に送り込まれる。本体ケース２の側面に形成された空気取り入れ口２３から外部の空気が本体ケース２内に取り込まれ、この空気が空気導入孔５５から温風導入ダクト５４内に導入される。温風導入ダクト５４は、ガスバーナ５からの燃焼排ガスと空気導入孔５５から導入した空気とを混合して加熱空気（温風）とし、この温風を温風導出口５６から回転ドラム４へ導出させる。なお、加熱手段としてガスバーナ５を使用するが、これに限らず、電気ヒータや給湯器に接続した熱交換器等を使用してもよい。
【００１３】
本体ケース２の前面の前板２０には、回転ドラム４の開放された前端に対応して円形に開口して被乾燥物Ｓを回転ドラム４内に出し入れする投入口２１が形成されている。投入口２１は、前板２０から後方へ向けて延びて奥側（後側）に段部２２を設けた円筒形状に形成されている（図２参照）。
【００１４】
扉３は、側縁の一方側が蝶番を介して本体ケース２の前板２０に開閉自在に連結され、前板２０に形成する投入口２１を開閉させる。扉３の背面（後面）には、後方に突出して扉閉時に投入口２１に嵌入される環状凸部３１が形成され、この環状凸部３１の内径部には、糸屑フィルタ３３が着脱自在に取り付けられている。扉３の内部には、環状凸部３１に連設されて扉閉時に投入口２１を介して回転ドラム４内と連通状態となる第１排湿ダクト３４が設けられている。第１排湿ダクト３４の下流端は、扉閉時に本体ケース２内の上方位置に設置された第２排湿ダクト２４と連結される。第２排湿ダクト２４の下流端は、本体ケース２の天面から上方に向けて開口する排湿口２５となっており、また、第２排湿ダクト２４内には、給排気ファン２６が設けられている。
【００１５】
以上の衣類乾燥機１は、給排気ファン２６を作動させ、回転ドラム４を回転させ、ガスバーナ５を燃焼させることにより、乾燥運転が行われる。給排気ファン２６の作動により、第２排湿ダクト２４、第１排湿ダクト３４、回転ドラム４及び温風導入ダクト５４に空気流が生じる。これにより、ガスバーナ５で加熱された温風が温風導入ダクト５４から回転ドラム４の背面の小孔４ａを介して回転ドラム４内に導入される。回転ドラム４の内部では、流動する温風に被乾燥物Ｓが晒されて被乾燥物Ｓが乾燥する。被乾燥物Ｓの乾燥に伴って回転ドラム４内に発生した湿気は、温風と共に投入口２１に移動して糸屑フィルタ３３を通過し、第１排湿ダクト３４から第２排湿ダクト２４へ移動し、排湿口２５から排出される。
このような乾燥運転時（給排気ファン２６の作動時）に投入口２１から回転ドラム４内への空気の流入を防止するため投入口２１の気密を保持するように、図２をも参照して、扉３の背面にはエラストマー等の弾性体からなる第１パッキン６と第２パッキン８とが設けられている。
【００１６】
図２〜図４を参照して、第１パッキン６は、扉３の背面における環状凸部３１の外周部であり、扉閉時に前板２０における投入口２１外周部の全周にわたって当接する位置に設けられている。第１パッキン６は、扉３の背面に凹設された環状凹溝３２に嵌め込まれる環状の嵌着部７と一体成形により一体的に形成されている。環状の嵌着部７は、内周板部７１と外周板部７２と天板部７３とを有する断面コ字形の環状に形成されており、外周板部７２には、扉３の環状凹溝３２と係合させる複数の係合爪７４が設けられ、天板部７３には、第１パッキン６が一体形成されている。これにより、扉３の背面への環状の第１パッキン６の組み付けに際して、全周における第１パッキン６の高さのばらつきを抑制することができる。従って、扉閉時には環状の第１パッキン６が全周一様に前板２０に当接して投入口２１の気密性を確実に保持することができる。
【００１７】
第１パッキン６は、環状に一体的に形成されたものであり、嵌着部７に固着された基台部６６と、扉３の背面から略垂直に立ち上がって前板２０側へ向けて延びる立ち上がり部６１と、立ち上がり部６１の先端から折れ曲がって環状の外向きに（環状の第１パッキン６の半径方向外方側へ）拡がるように延びて先端を自由端とする舌片部６２とを有している。そして、舌片部６２は、立ち上がり部６１の先端から扉３の背面に沿って略真っ直ぐ延びる延出片部６３と、延出片部６３の先端から折れ曲がって前板２０側へ斜め向きに延び且つ前板２０側にＲ状（円弧状）に湾曲して膨出し扉閉時に前板２０に押し当てられる膨出傾斜片部６４とを有する。
【００１８】
しかるに、衣類乾燥機１において給排気ファン２６の作動により回転ドラム４内が負圧状態となり、第１パッキン６には内周側と外周側との空気圧差により外周側から空気の押し付け力が作用する。この場合、膨出傾斜片部６４は、前板２０側へ斜め向きとなって外周方向に拡がるように延びて先端を自由端とする形状を有するので、外周側からの空気の押し付け力により膨出傾斜片部６４は前板２０に押し付けられるように作用し、投入口２１の気密保持性が高められる。従って、扉３の背面と本体ケース２の前板２０との間のクリアランスが、ばらついていたり少しずつ広くなってきた場合でも、投入口２１の気密性を高く保持することができる。
【００１９】
また、図５に示すように、扉閉時に第１パッキン６が前板２０に押し当てられると、舌片部６２が全体的に撓むことなく舌片部６２の延出片部６３と膨出傾斜片部６４との境目となる折れ曲がり部分を支点Ａにして膨出傾斜片部６４が撓んで前板２０と面接触することとなる。これより、上記折曲がり部分を有さず舌片部６２が全体的に撓むものよりも、膨出傾斜片部６４の前板２０に面接触する最も内周側の位置Ｂと膨出傾斜片部６４の撓みの支点Ａとの間の距離Ｌが短くなる。また、第１パッキン６が経年劣化によりへたってきた時に前板２０との接触が舌片部６２の先端付近でなされるようになる（図５（ｂ）を図５（ａ）と対比参照）。この場合、斜め外向きに延びる舌片部６２をストレート形状としたものよりも、膨出傾斜片部６４を前板２０側にＲ状に湾曲する膨出形状とすることにより、前板２０との接触部分を内径側へ近づけることができる（図５（ｂ）参照）。以上の結果、膨出傾斜片部６４の前板２０に面接触する最も内周側の位置Ｂと膨出傾斜片部６４の撓みの支点Ａとの間の距離Ｌが短くなるので、第１パッキン６が経年劣化によりへたってきた場合であっても、押圧状態での膨出傾斜片部６４の剛性を高く保持することができる。
【００２０】
さらに、膨出傾斜片部６４は、延出片部６３から折れ曲がるように形成されているので、扉閉時に膨出傾斜片部６４が前板２０に押し当てられた状態では、立ち上がり部６１及び延出片部６３からの弾性反発力により膨出傾斜片部６４を持ち上げるように作用し、これによっても、押圧状態での膨出傾斜片部６４の剛性を高く保持させることができる。
以上より、第１パッキン６がへたってきた時に回転ドラム４内の負圧が投入口２１に及んで環状の第１パッキン６が内径側に引き込まれる力を受けても膨出傾斜片部６４の形状が安定して保持され、投入口２１の気密性を長期的に保持することができる。
【００２１】
また、立ち上がり部６１及び舌片部６２は、肉厚を一定に形成するが、膨出傾斜片部６４の先端部分では、前板２０と接触しない裏面側を肉盛りして厚肉に形成した肉盛り部６５とする（図４参照）。これにより、膨出傾斜片部６４の先端部分により形成される環状の第１パッキン６の外径端部での剛性が高くなり押圧状態での膨出傾斜片部６４の剛性をさらに高く保持することができる。この肉盛り部６５は、膨出傾斜片部６４の裏面側に設けて本体ケース２の前板２０とは接触することがなく、膨出傾斜片部６４と前板２０との接触面積を低下させることがない。従って、この肉盛り部６５により第１パッキン６がへたってきても投入口２１の気密保持性を高くすることができる。
【００２２】
以上のように、実施形態の衣類乾燥機１によれば、第１パッキン６がへたってきても投入口２１の気密保持性が高く、投入口２１から回転ドラム４内への空気の流入を長期的に防止することができ、よって、乾燥効率の低下を防止することができ、回転ドラム４内の負圧により第１パッキン６が振動してビビリ音を発生させることもない。なお、第１パッキン６がへたる前でも投入口２１の気密保持に優れ、回転ドラム４内への空気の流入を防止することができ、また、第１パッキン６の振動によるビビリ音の発生を防止することができる。
【００２３】
第２パッキン８は、環状凸部３１の一部分であり、扉閉時に投入口２１の段部２２に全周にわたって当接する位置に設けられている（図１、図２参照）。第２パッキン８は、環状に一体的に形成されたものであり、さらには、図６に示すように、環状凸部３１の一部（天部及び内周部）を構成する環状の凸部材９と一体成形により一体的に形成されている。環状の凸部材９は、内フランジ部９１、内周板部９２、天板部９３、外周板部９４及び外フランジ部９５を一体に有する断面凸形の環状に形成されており、第２パッキン８は、外フランジ部９５から外周板部９４にわたって一体的に形成されている。従って、扉３の背面の環状凸部３１に対して環状の第２パッキン８を組み付けるに際して、全周における第２パッキン８の高さのばらつきを抑制することができ、扉閉時には環状の第２パッキン８が全周一様に投入口２１の段部２２に当接して投入口２１の気密性を確実に保持することができる。
【００２４】
そして、第２パッキン８は、凸部材９に固着された基台部８４と、凸部材９における外周板部９４の凹み部９６に固着して内径側に真っ直ぐ延びる固着小片部８１と、投入口２１の段部２２側へ斜め向きに延び且つ外向きに（環状の第２パッキン８の半径方向外方側へ）直線的に拡がるように延びて扉閉時に投入口２１の段部２２に押し当てられる傾斜片部８２とを有する。これにより、扉閉時に第２パッキン８の直線的な傾斜片部８２が投入口２１の段部２２に対して平面的に広く接触して高い気密保持性を発揮することができる。また、内径側に延びて凸部材９に固着する固着小片部８１を設けることにより、段部２２への押圧状態での傾斜片部８２の押し付け力が強化され、段部２２に対する傾斜片部８２の密着性を高めることができる。そして、上述のとおり、前板２０と投入口２１との間の気密性は第１パッキン６により保持されているので、回転ドラム４内の負圧により第１パッキン６と第２パッキン８との間の空気が回転ドラム４側へ抜けることにより、第２パッキン８の傾斜片部８２は投入口２１の段部２２に押し付けられて投入口２１の段部２２の気密性を高く保持することができる。
【００２５】
また、傾斜片部８２は、肉厚を一定に形成したものであるが、先端部分は、投入口２１の段部２２と接触しない裏面側を肉盛りして厚肉に形成した肉盛り部８３とする（図６参照）。これにより、傾斜片部８２の先端部分により形成される環状の第２パッキン８の外径端部での剛性が高くなり、押圧状態での傾斜片部８２の剛性を高く保持することができる。この肉盛り部８３は、傾斜片部８２の裏面側に設けて投入口２１の段部２２とは接触することがなく傾斜片部８２と段部２２との接触面積を低下させることがない。従って、第２パッキン８により投入口２１の段部２２での気密性を高く保持することができる。
【００２６】
このように、実施形態の衣類乾燥機１では、第１パッキン６と第２パッキン８との二重シール構造を有するので、投入口２１の気密性を高く保持することができる。
【００２７】
なお、本発明は、上記実施形態に限らず本発明の要旨の範囲内で種々の変更を施すことが可能である。例えば、第１パッキン６の膨出傾斜片部６４は、Ｒ状に湾曲した断面形状に限らず、例えば、く字状、逆Ｕ字状等に折れ曲がった断面形状等としてもよい。また、第２パッキン８の傾斜片部８２は、第１パッキン６の膨出傾斜片部６４と同じ形状のものとしてもよい。
【符号の説明】
【００２８】
１  衣類乾燥機
２  本体ケース
３  扉
４  回転ドラム
５  ガスバーナ
６  第１パッキン
７  嵌着部
８  第２パッキン
９  凸部材
２０  前板
２１  投入口
２２  段部
３１  環状凸部
３２  環状凹溝
６１  立ち上がり部
６２  舌片部
６３  延出片部
６４  膨出傾斜片部
６５  肉盛り部
８１  固着小片部
８２  傾斜片部
８３  肉盛り部
Ａ  支点
Ｂ  位置
Ｌ  距離
Ｓ  被乾燥物
【図１】
0006301870.tif 000002
【図２】
0006301870.tif 000003
【図３】
0006301870.tif 000004
【図４】
0006301870.tif 000005
【図５】
0006301870.tif 000006
【図６】
0006301870.tif 000007